(57)【要約】【課題】吊下げたときにアクセサリーが向く方向を正面に保持する写真又はアクセサリーを収納するペンダントを提供する。【解決手段】前記ペンダントは、互いに嵌合される２つの蓋体１を備える。少なくとも１つの蓋体１は、内側が中空状に形成されるとともに、中央部にチャンバ１１が形成され、周囲に壁体１２が形成される。少なくとも１つの蓋体１の中央部のカバー面には、透明シート１３が設けられて透明ウィンドウが形成される。２つの蓋体１を嵌合した後、内部が中空状の収納チャンバを有するペンダントが成形される。壁体１２の内側壁には、チャンバ１１に向かって突出された少なくとも１つの凸板１４が一体成形される。凸板１４と、隣り合う透明シート１３との間には間隙空間が設けられ、写真又はレンズを前記透明シート１３の背面に嵌着させる位置決め構造が形成される。【選択図】図２
0003218150.tif 000002
【実用新案登録請求の範囲】
【請求項１】
互いに嵌合される２つの蓋体（１）を備え、
少なくとも１つの前記蓋体（１）は、内側が中空状に形成されるとともに、中央部にチャンバ（１１）が形成され、周囲に壁体（１２）が形成され、
少なくとも１つの前記蓋体（１）の中央部のカバー面には、透明シート（１３）が設けられて透明ウィンドウが形成され、
２つの前記蓋体（１）を嵌合した後、内部が中空状の収納チャンバを有するペンダントが成形され、前記壁体（１２）の内側壁には、前記チャンバ（１１）に向かって突出された少なくとも１つの凸板（１４）が一体成形され、前記凸板（１４）と、隣り合う前記透明シート（１３）との間には間隙空間が設けられ、写真又はレンズを前記透明シート（１３）の背面に嵌着させる位置決め構造が形成されることを特徴とする写真又はアクセサリーを収納するペンダント。
【請求項２】
前記壁体（１２）には、ステップ（１５）が設けられ、
前記透明シート（１３）の外縁は、前記ステップ（１５）の内側又は外側に嵌設され、内側を覗くことができるカバー面に成形され、
前記収納チャンバの上部には、少なくとも１つの吊り線フック（２８）及び少なくとも１つの挿通線部（２１）が設けられることを特徴とする請求項１に記載の写真又はアクセサリーを収納するペンダント。
【請求項３】
少なくとも１つの前記蓋体（１）は、少なくとも１つの前記挿通線部（２１）を有し、
前記挿通線部（２１）は、前記収納チャンバの上部に位置し、
前記挿通線部（２１）は、前記蓋体（１）の前記壁体（１２）の内側縁部から下向きに延び、
前記挿通線部（２１）には、フック（２５）、吊りリング（１０４）、挿通線孔（２２）又は挿通線溝（２４）が形成され、
前記凸板（１４）は、前記チャンバ（１１）内に突設された凸点、突条体、凸状リング、リブ、薄板又はバンプであることを特徴とする請求項２に記載の写真又はアクセサリーを収納するペンダント。
【請求項４】
前記挿通線部（２１）は、前記壁体（１２）の内側縁部から突出した薄板、バンプ又はリブであり、
前記挿通線孔（２２）の全部又は一部は、前記壁体（１２）に形成され、
前記挿通線部（２１）の中央部には、挿通線孔（２２）が形成され、前記挿通線孔（２２）が前記挿通線部（２１）の内側面及び外側面に貫通され、前記挿通線孔（２２）に挿通した針金又は紐により写真又はアクセサリーを収納チャンバ内で正面を向けて吊下げることを特徴とする請求項３に記載の写真又はアクセサリーを収納するペンダント。
【請求項５】
前記挿通線部（２１）の一側又は両側には、前記挿通線溝（２４）が形成され、前記挿通線溝（２４）下の前記挿通線部（２１）に前記フック（２５）が形成され、前記挿通線溝（２４）の外側が前記挿通線部（２１）の外側に連通されて入線口が形成され、前記挿通線溝（２４）の内端部には、凹部（２７）が設けられ、
前記フック（２５）の外端部と前記壁体（１２）とが間隙を有するように組み合わされるか、前記フック（２５）の外端部と前記壁体（１２）とが弾性当接されるように組み合わされることを特徴とする請求項４に記載の写真又はアクセサリーを収納するペンダント。
【請求項６】
前記挿通線部（２１）は、接続部を含み、
前記接続部の上端が前記壁体（１２）に接続され、前記接続部の下端には、両側へ向かって延びたフック体（２６）が延設され、前記フック体（２６）の内端部と前記壁体（１２）との間には、掛線空間が設けられ、
前記フック体（２６）の外端と前記壁体（１２）とが間隙を有するように組み合わされるか、弾性当接されるように組み合わされることを特徴とする請求項４に記載の写真又はアクセサリーを収納するペンダント。
【請求項７】
２つの前記蓋体（１）の前記壁体（１２）の内側壁には、前記挿通線部（２１）がそれぞれ一体成形され、前記挿通線部（２１）の外側面と、隣り合う前記透明シート（１３）との間には間隙空間が設けられ、２つの前記蓋体（１）を嵌合した後、２つの前記挿通線部（２１）の内側面が重ねられて吊下げ部（２）を構成することを特徴とする請求項４に記載の写真又はアクセサリーを収納するペンダント。
【請求項８】
前記挿通線部（２１）の外側面には、線溝（２３）が形成され、
前記線溝（２３）は、前記挿通線部（２１）から前記壁体（１２）まで延びる上、前記線溝（２３）の下端には、前記挿通線部（２１）が貫通され、
前記挿通線孔（２２）は、前記線溝（２３）中に位置し、２つの前記蓋体（１）を嵌合した後、前記吊下げ部（２）の中央部に縦方向の引出線槽が形成される上、前記引出線槽は、２つの前記挿通線部（２１）の前記挿通線孔（２２）とそれぞれ連通することを特徴とする請求項４に記載の写真又はアクセサリーを収納するペンダント。
【請求項９】
前記壁体（１２）には、フック凹溝（１０）が形成され、
前記フック凹溝（１０）中には、吊り線フック（２８）が取り付けられることを特徴とする請求項１に記載の写真又はアクセサリーを収納するペンダント。
【請求項１０】
前記蓋体（１）には、前記壁体（１２）の頂面から突出された前記吊りリング（１０４）が取り付けられ、前記挿通線部（２１）は前記吊りリング（１０４）下に位置し、
２つの前記蓋体（１）の内側には、中空状の前記チャンバ（１１）が形成され、前記挿通線孔（２２）は、前記蓋体（１）のカバー面に対して垂直であり、
一方の前記蓋体（１）は、第１の側部に回転軸が取り付けられ、第２の側部に第１の取付け溝（１６）が形成され、他方の前記蓋体（１）は、第１の側部に回転軸が旋回可能に取付けられ、第２の側部に第２の取付け溝（１７）が形成され、
前記第１の取付け溝（１６）中には、磁石（１８）が嵌設され、前記第２の取付け溝（１７）中には、磁石又は鉄塊（１９）が嵌設され、２つの前記蓋体（１）を嵌合させた後、前記第２の取付け溝（１７）中の前記磁石又は前記鉄塊（１９）が、前記第１の取付け溝（１６）中の前記磁石（１８）に磁気吸引され、
一方の前記蓋体（１）は、前記第２の側部の内側面に少なくとも１つの凹穴（１０１）が形成され、他方の前記蓋体（１）の前記第２の側部には、対応する前記凹穴（１０１）中に嵌入されて位置決めされる少なくとも１つの凸柱又は凸点（１０２）が設けられ、
前記蓋体（１）の前記第２の側部の縁部には、弧形指掛け部（１０３）が設けられ、前記弧形指掛け部（１０３）の両側が前記蓋体（１）の内側面及び外壁面に貫通され、２つの前記蓋体（１）が嵌合されると、ペンダントの外側面に弧形状の指挿入口が形成されることを特徴とする請求項４に記載の写真又はアクセサリーを収納するペンダント。
【考案の詳細な説明】
【技術分野】
【０００１】
本考案は、ペンダントに関するものであり、さらに詳しくは、吊下げたときにアクセサリーが向く方向を正面に保持することが可能なように構成された写真又はアクセサリーを収納するペンダントに関するものである。
【背景技術】
【０００２】
従来技術のペンダントは、面カバー及び底蓋を含む構成からなるものである。面カバー及び底蓋は、軸体を介してペンダントの一側に固定されてヒンジ状に形成される。面カバー及び底蓋の正面には、模様が印刷されるか模様シートが接着される。印刷された模様又は接着された模様シートは立体状でない上、外観上も良くなく、ユーザ自らがペンダントの模様を交換することはできなかった。また、ペンダントは、写真又はアクセサリーを収納する収納室を一般に有する。しかし、従来のペンダントは、内部に写真又はアクセサリーを固定する構造が設けられていない上、アクセサリーを収納室内に吊下げることもできず、アクセサリーの所定側が上方を向くように保持することもできなかったため、改善が求められていた。
【考案の概要】
【考案が解決しようとする課題】
【０００３】
そこで、本考案の主な課題は、構造が簡素で、内部に吊下げたアクセサリーが向く方向を正面に保持することが可能なように構成された写真又はアクセサリーを収納するペンダントを提供することにある。
【課題を解決するための手段】
【０００４】
そこで、本考案者は、本考案の前記課題を解決するために鋭意検討を重ねた結果、後述のように互いに嵌合される２つの蓋体（１）を備え、少なくとも１つの前記蓋体（１）は、内側が中空状に形成されるとともに、中央部にチャンバ（１１）が形成され、周囲に壁体（１２）が形成され、少なくとも１つの前記蓋体（１）の中央部のカバー面には、透明シート（１３）が設けられて透明ウィンドウが形成され、透明シート（１３）と内側壁に設けた凸板（１４）との間に間隙空間を設けることにより前記課題が解決されることに着目し、かかる知見に基いて本考案に想到するに至った。
【０００５】
すなわち、上記課題を解決するために、本考案の形態によれば、互いに嵌合される２つの蓋体（１）を備え、少なくとも１つの前記蓋体（１）は、内側が中空状に形成されるとともに、中央部にチャンバ（１１）が形成され、周囲に壁体（１２）が形成され、少なくとも１つの前記蓋体（１）の中央部のカバー面には、透明シート（１３）が設けられて透明ウィンドウが形成され、２つの前記蓋体（１）を嵌合した後、内部が中空状の収納チャンバを有するペンダントが成形され、前記壁体（１２）の内側壁には、前記チャンバ（１１）に向かって突出された少なくとも１つの凸板（１４）が一体成形され、前記凸板（１４）と、隣り合う前記透明シート（１３）との間には間隙空間が設けられ、写真又はレンズを前記透明シート（１３）の背面に嵌着させる位置決め構造が形成されることを特徴とする写真又はアクセサリーを収納するペンダントを提供する。
【０００６】
かくして、本考案の要旨は次の１〜１０に記載の通りのものである。
１．互いに嵌合される２つの蓋体（１）を備え、
少なくとも１つの前記蓋体（１）は、内側が中空状に形成されるとともに、中央部にチャンバ（１１）が形成され、周囲に壁体（１２）が形成され、
少なくとも１つの前記蓋体（１）の中央部のカバー面には、透明シート（１３）が設けられて透明ウィンドウが形成され、
２つの前記蓋体（１）を嵌合した後、内部が中空状の収納チャンバを有するペンダントが成形され、前記壁体（１２）の内側壁には、前記チャンバ（１１）に向かって突出された少なくとも１つの凸板（１４）が一体成形され、前記凸板（１４）と、隣り合う前記透明シート（１３）との間には間隙空間が設けられ、写真又はレンズを前記透明シート（１３）の背面に嵌着させる位置決め構造が形成されることを特徴とする写真又はアクセサリーを収納するペンダント。
【０００７】
２．前記壁体（１２）には、ステップ（１５）が設けられ、
前記透明シート（１３）の外縁は、前記ステップ（１５）の内側又は外側に嵌設され、内側を覗くことができるカバー面に成形され、
前記収納チャンバの上部には、少なくとも１つの吊り線フック（２８）及び少なくとも１つの挿通線部（２１）が設けられることを特徴とする前記１に記載の写真又はアクセサリーを収納するペンダント。
【０００８】
３．少なくとも１つの前記蓋体（１）は、少なくとも１つの前記挿通線部（２１）を有し、
前記挿通線部（２１）は、前記収納チャンバの上部に位置し、
前記挿通線部（２１）は、前記蓋体（１）の前記壁体（１２）の内側縁部から下向きに延び、
前記挿通線部（２１）には、フック（２５）、吊りリング（１０４）、挿通線孔（２２）又は挿通線溝（２４）が形成され、
前記凸板（１４）は、前記チャンバ（１１）内に突設された凸点、突条体、凸状リング、リブ、薄板又はバンプであることを特徴とする前記２に記載の写真又はアクセサリーを収納するペンダント。
【０００９】
４．前記挿通線部（２１）は、前記壁体（１２）の内側縁部から突出した薄板、バンプ又はリブであり、
前記挿通線孔（２２）の全部又は一部は、前記壁体（１２）に形成され、
前記挿通線部（２１）の中央部には、挿通線孔（２２）が形成され、前記挿通線孔（２２）が前記挿通線部（２１）の内側面及び外側面に貫通され、前記挿通線孔（２２）に挿通した針金又は紐により写真又はアクセサリーを収納チャンバ内で正面を向けて吊下げることを特徴とする前記３に記載の写真又はアクセサリーを収納するペンダント。
【００１０】
５．前記挿通線部（２１）の一側又は両側には、前記挿通線溝（２４）が形成され、前記挿通線溝（２４）下の前記挿通線部（２１）に前記フック（２５）が形成され、前記挿通線溝（２４）の外側が前記挿通線部（２１）の外側に連通されて入線口が形成され、前記挿通線溝（２４）の内端部には、凹部（２７）が設けられ、
前記フック（２５）の外端部と前記壁体（１２）とが間隙を有するように組み合わされるか、前記フック（２５）の外端部と前記壁体（１２）とが弾性当接されるように組み合わされることを特徴とする前記４に記載の写真又はアクセサリーを収納するペンダント。
【００１１】
６．前記挿通線部（２１）は、接続部を含み、
前記接続部の上端が前記壁体（１２）に接続され、前記接続部の下端には、両側へ向かって延びたフック体（２６）が延設され、前記フック体（２６）の内端部と前記壁体（１２）との間には、掛線空間が設けられ、
前記フック体（２６）の外端と前記壁体（１２）とが間隙を有するように組み合わされるか、弾性当接されるように組み合わされることを特徴とする前記４に記載の写真又はアクセサリーを収納するペンダント。
【００１２】
７．２つの前記蓋体（１）の前記壁体（１２）の内側壁には、前記挿通線部（２１）がそれぞれ一体成形され、前記挿通線部（２１）の外側面と、隣り合う前記透明シート（１３）との間には間隙空間が設けられ、２つの前記蓋体（１）を嵌合した後、２つの前記挿通線部（２１）の内側面が重ねられて吊下げ部（２）を構成することを特徴とする前記４に記載の写真又はアクセサリーを収納するペンダント。
【００１３】
８．前記挿通線部（２１）の外側面には、線溝（２３）が形成され、
前記線溝（２３）は、前記挿通線部（２１）から前記壁体（１２）まで延びる上、前記線溝（２３）の下端には、前記挿通線部（２１）が貫通され、
前記挿通線孔（２２）は、前記線溝（２３）中に位置し、２つの前記蓋体（１）を嵌合した後、前記吊下げ部（２）の中央部に縦方向の引出線槽が形成される上、前記引出線槽は、２つの前記挿通線部（２１）の前記挿通線孔（２２）とそれぞれ連通することを特徴とする前記４に記載の写真又はアクセサリーを収納するペンダント。
【００１４】
９．前記壁体（１２）には、フック凹溝（１０）が形成され、
前記フック凹溝（１０）中には、吊り線フック（２８）が取り付けられることを特徴とする前記１に記載の写真又はアクセサリーを収納するペンダント。
【００１５】
１０．前記蓋体（１）には、前記壁体（１２）の頂面から突出された前記吊りリング（１０４）が取り付けられ、前記挿通線部（２１）は前記吊りリング（１０４）下に位置し、
２つの前記蓋体（１）の内側には、中空状の前記チャンバ（１１）が形成され、前記挿通線孔（２２）は、前記蓋体（１）のカバー面に対して垂直であり、
一方の前記蓋体（１）は、第１の側部に回転軸が取り付けられ、第２の側部に第１の取付け溝（１６）が形成され、他方の前記蓋体（１）は、第１の側部に回転軸が旋回可能に取付けられ、第２の側部に第２の取付け溝（１７）が形成され、
前記第１の取付け溝（１６）中には、磁石（１８）が嵌設され、前記第２の取付け溝（１７）中には、磁石又は鉄塊（１９）が嵌設され、２つの前記蓋体（１）を嵌合させた後、前記第２の取付け溝（１７）中の前記磁石又は前記鉄塊（１９）が、前記第１の取付け溝（１６）中の前記磁石（１８）に磁気吸引され、
一方の前記蓋体（１）は、前記第２の側部の内側面に少なくとも１つの凹穴（１０１）が形成され、他方の前記蓋体（１）の前記第２の側部には、対応する前記凹穴（１０１）中に嵌入されて位置決めされる少なくとも１つの凸柱又は凸点（１０２）が設けられ、
前記蓋体（１）の前記第２の側部の縁部には、弧形指掛け部（１０３）が設けられ、前記弧形指掛け部（１０３）の両側が前記蓋体（１）の内側面及び外壁面に貫通され、２つの前記蓋体（１）が嵌合されると、ペンダントの外側面に弧形状の指挿入口が形成されることを特徴とする前記４に記載の写真又はアクセサリーを収納するペンダント。
【考案の効果】
【００１６】
本考案の写真又はアクセサリーを収納するペンダントは、以下（１）〜（４）の効果を有する。
（１）構造が簡素で、凸板と隣り合う透明シートとの間に間隙空間が設けられているため、ユーザは写真又は小さな鏡を容易に嵌入させることができる。
（２）凸板と挿通線部とを組み合わせた位置構造により、写真又はレンズが凸板及び挿通線部を介して透明シートの背面に嵌入したり固定したりし、ユーザは、写真を嵌入したり交換したり、小さな鏡を嵌入したりすることができ、融通性が高くて使用し易い。
（３）構造が簡素で、フック構造によりペンダントのチャンバ内のアクセサリーを吊下げることができ、アクセサリーが向く方向を正面にして吊下げ、アクセサリーの上部を上向きに保持し、アクセサリーが立体状であり、見た目がよい。
（４）ユーザは写真及び内部のアクセサリーをいつでも交換することができる。
【図面の簡単な説明】
【００１７】
【図１】図１は、本考案の第１実施形態に係る写真又はアクセサリーを収納するペンダントを示す斜視図である。
【図２】図２は、本考案の第１実施形態に係る写真又はアクセサリーを収納するペンダントの蓋体を開けたときの状態を示す斜視図である。
【図３】図３は、本考案の第２実施形態に係る写真又はアクセサリーを収納するペンダントを示す斜視図である。
【図４】図４は、本考案の第３実施形態に係る写真又はアクセサリーを収納するペンダントを示す斜視図である。
【図５】図５は、本考案の第４実施形態に係る写真又はアクセサリーを収納するペンダントを示す斜視図である。
【図６】図６は、本考案の第５実施形態に係る写真又はアクセサリーを収納するペンダントを示す斜視図である。
【図７】図７は、本考案の第６実施形態に係る写真又はアクセサリーを収納するペンダントを示す斜視図である。
【図８】図８は、図７のＡ部分の拡大図である。
【図９】図９は、本考案の第７実施形態に係る写真又はアクセサリーを収納するペンダントを示す斜視図である。
【考案を実施するための形態】
【００１８】
以下、本考案の実施形態について図に基づいて説明する。なお、これによって本考案が限定されるものではない。
【００１９】
（第１実施形態）
図１及び図２を参照する。図１及び図２に示すように、本考案の第１実施形態に係る写真又はアクセサリーを収納するペンダントは、一方が面カバーであり、他方が底蓋である互いに嵌合可能な２つの蓋体１を含む。蓋体１の外観輪郭は、円形、楕円形、方形、三角形、多角形、ハート形、不規則形状などの様々な形状でもよいし、舵、リンゴ、ユニフォームなど各種物品の抽象的な形状でもよい。蓋体１の外側には、羽根、葉っぱなどを模した各種アクセサリーを配置してもよい。
【００２０】
蓋体１の上部には、吊りリング１０４が設けられる。吊りリング１０４の中央部には、ユーザがペンダントを掛けやすいように、紐を挿通させる吊り孔１０５が形成されている。吊りリング１０４は固定することができる。例えば、吊りリング１０４は、蓋体１と一体成形されている。吊りリング１０４は、様々な方向へ設けてもよい。また、吊りリング１０４は、着脱自在でもよい。例えば、吊りリング１０４の下端が、蓋体１に着脱可能に接続されてもよい。吊りリング１０４は、蓋体１に対して旋回可能である。吊りリング１０４は、円形、方形など様々な形状でもよい。
【００２１】
２つの蓋体１の内側は中空状に形成されるとともに、その中央部にチャンバ１１が形成される。蓋体１の周囲には、壁体１２が形成される。その一つの蓋体１又は２つの蓋体１の中央部のカバー面には、透明シート１３を設けてもよい。２つの蓋体１を嵌合した後、内部が中空状の収納チャンバを有するペンダントが成形される。蓋体１には、挿通線部２１が設けられる。挿通線部２１は、収納チャンバ上に位置する。また、挿通線部２１は、壁体１２上部の下側縁部から下向きに延びる。挿通線部２１には、フック２５、吊りリング１０４、挿通線孔２２又は挿通線溝２４が設けられる。第１実施形態の挿通線部２１の中央部には、挿通線孔２２が形成される。
【００２２】
壁体１２の外側には、ステップ１５が形成される。透明シート１３の外縁は、ステップ１５の外側に嵌設される。透明シート１３と壁体１２とは表面が同じ位置にあり、内側を覗くことができるカバー面に成形される。勿論、透明シート１３の外縁は、ステップ１５の内側に嵌設できるようにしてもよい。
【００２３】
蓋体１には、壁体１２の頂面から突出された吊りリング１０４が一体形成される。吊りリング１０４が設けられた位置の壁体１２の底面には、壁体１２下から突出された挿通線部２１が一体成形され、挿通線部２１は吊下げる真下に位置する。
【００２４】
２つの蓋体１の壁体１２には、挿通線部２１が一体成形される。挿通線部２１の外側面と、隣り合う透明シート１３との間には間隙空間が形成される。２つの蓋体１を嵌合した後、２つの挿通線部２１の内側面が重ねられて吊下げ部２を構成し、写真又は装飾物を吊下げ、例えば、上向きなどに固定方向を保持する。
【００２５】
挿通線部２１は、壁体１２の内側縁部から突出した薄板である。勿論、挿通線部２１も壁体１２の内側縁部から突出されたバンプ又はリブでもよい。
【００２６】
挿通線孔２２の全部は壁体１２に形成されてもよい。挿通線孔２２は、蓋体１のカバー面に対して垂直である。或いは、挿通線孔２２の一部が壁体１２に形成されるとともに、一部が挿通線部２１に形成されてもよい。挿通線孔２２の一部は壁体１２に形成されてもよい。そのため、挿通線部２１が下向きに突出された高さを減らし、挿通線部２１の強度を十分に得て、挿通線部２１が損壊することを防ぐことができる。
【００２７】
第１実施形態は、構造が簡素であり、ペンダントのチャンバ１１内に写真又はアクセサリーを吊下げることができる上、吊下げ方向を正面に保持し、吊下げる物の上部を上方に保持する。
【００２８】
挿通線部２１の外側面には、線溝２３が形成される。線溝２３は、挿通線部２１から壁体１２まで延びる上、線溝２３の下端には、挿通線部２１が設けられる。挿通線孔２２は、線溝２３中に位置する。２つの蓋体１を嵌合した後、吊下げ部２の中央部に縦方向の引出線槽が形成される上、引出線槽は、２つの挿通線部２１の挿通線孔２２とそれぞれ連通する。吊下げ部２と、縦方向の挿通線孔２２と、垂直方向の引出線槽と、により、ペンダントが多種類の紐を挿通させる方式により、写真又はアクセサリーを吊下げることが容易であり、紐を挿通させることも容易である。また、同時に２つの蓋体１の挿通線部２１は、写真又はアクセサリーをそれぞれ吊下げることができる上、２つの蓋体１の挿通線部２１を使用し、単独で１つの写真又はアクセサリーを吊下げることができる上、吊下げる写真又はアクセサリーの吊り紐が、全部中央部の挿通線孔２２の下部から延び、吊り紐の頭部を隠すことができる。
【００２９】
壁体１２の内側には、チャンバ１１に向かって突出された２つの凸板１４が一体成形されている。凸板１４は、チャンバ内に突設された凸点、突条体、凸状リング、リブ、薄板又はバンプでもよい。凸板１４と、隣り合う透明シート１３との間には間隙空間が形成され、写真又はレンズを透明シートの背面に嵌着する位置決め構造を構成する。凸板１４と挿通線部２１とは同一平面に位置し、挿通線部２１と透明シート１３との間には間隙空間が形成される。凸板１４と挿通線部２１とが位置決め構造を共同で構成する。凸板１４及び挿通線部２１を介して写真又はレンズを透明シート１３の背面に嵌着させたり、ユーザ自らが写真を嵌入させたり交換したり、小さな鏡を嵌入させたりすることができる。
【００３０】
一方の蓋体１は、第１の側部に回転軸が取り付けられ、第２の側部に第１の取付け溝１６が形成される。他方の蓋体１は、第１の側部に回転軸が旋回可能に取付けられ、第２の側部には、第１の取付け溝１６に対応した位置に第２の取付け溝１７が形成される。第１の取付け溝１６中には、磁石１８が嵌設される。第２の取付け溝１７中には、磁石又は鉄塊１９が嵌設される。２つの蓋体１を嵌合させた後、第２の取付け溝１７中の磁石又は鉄塊１９が、第１の取付け溝１６中の磁石１８に磁気吸引される。
【００３１】
一方の蓋体１は、第２の側部の内側面に少なくとも１つの凹穴１０１が形成され、他方の蓋体１は、第２の側部に少なくとも１つの凸柱又は凸点１０２が設けられる。２つの蓋体１を嵌合させた後、凸柱又は凸点１０２が対応した凹穴１０１中に嵌入されて位置決めされる。
【００３２】
蓋体１の第２の側部の縁部には、弧形指掛け部１０３が設けられる。弧形指掛け部１０３の両側が蓋体１の内側面及び外壁面に貫通され、２つの蓋体１が嵌合されると、ペンダントの外側面に、蓋体１が容易に開けられるように、弧形状の指挿入口が形成される。
【００３３】
第１実施形態のペンダントの収納チャンバ内には、固体香水、香水袋、香水箱、放出制御型固体薬物、放出制御型薬物が詰められた薬袋又は放出制御型薬物が詰められた薬箱が設置されてもよいし、挿通線部２１を介してペンダントの収納チャンバ内に、固体香水、香水袋、香水箱、放出制御型固体薬物、放出制御型薬物が詰められた薬袋又は放出制御型薬物が詰められた薬箱を吊下げてもよい。
【００３４】
（第２実施形態）
図３を参照する。図３に示すように、本考案の第２実施形態に係る写真又はアクセサリーを収納するペンダントは、一方が面カバーであり、他方が底蓋である互いに嵌合可能な２つの蓋体１を含む。蓋体１のカバー面には、透明シート１３が固定される。第２実施形態の主な構造は、第１実施形態と略同じであるため、ここでは繰り返して述べないが、蓋体１の壁体１２の内側に、チャンバ１１へ向かって突出された２つの凸板１４が一体成形され、各凸板１４と隣り合う透明シート１３との間に間隙空間が形成され、凸板１４と透明シート１３とにより位置決め構造が構成され、写真又はレンズが凸板１４を介して透明シート１３の背面に嵌着されるか固定されるため、ユーザ自らが写真を嵌入したり交換したり、小さな鏡を嵌入したりすることが容易である点で異なる。
【００３５】
好適な実施形態において、面カバー及び底蓋の壁体１２の内壁縁部の対応した両側には、チャンバ１１に向かって突出した凸板１４が突設される。凸板１４は薄板である。凸板１４の外側は弧形状である。
【００３６】
他の好適な実施形態において、面カバー及び底蓋の壁体１２の内壁縁部には、チャンバ１１に向かって突出した３つの凸板１４が突設される。３つの凸板１４は円周に沿って等間隔で設置される。
【００３７】
（第３実施形態）
図４を参照する。図４に示すように、本考案の第３実施形態に係る写真又はアクセサリーを収納するペンダントは、一方が面カバーであり、他方が底蓋である互いに嵌合可能な２つの蓋体１を含む。蓋体１の壁体１２の内側には、チャンバ１１へ向かって突出された少なくとも１つの凸板１４が一体成形され、第３実施形態の主な構造は、第２実施形態と略同じであるため、ここでは繰り返して述べないが、蓋体１の壁体１２の内縁には、内方へ延びた挿通線部２１が延設され、挿通線部２１がペンダントのチャンバ１１内の上部に設置され、凸板１４が挿通線部２１の相対する側に設置されると、凸板１４が挿通線部２１の下方に位置し、第３実施形態の挿通線部２１の構造は、凸板１４と類似し、壁体１２の内縁から突出された薄板であるが、本実施形態の挿通線部２１の中央部には、挿通線孔２２が形成され、挿通線孔２２が挿通線部２１の内側面及び外側面に縦方向で形成され、挿通線孔２２に挿通した針金又は紐を使用して写真又はアクセサリーを収納チャンバ内で正面を向けて吊下げることができる点で異なる。
【００３８】
好適な実施形態において、２つの蓋体１の壁体１２の内縁には、内方を向いた収納チャンバ内で延びた挿通線部２１が設けられ、嵌合する際、２つの挿通線部２１が重ねられる。
【００３９】
他の実施形態において、挿通線部２１下の互いに対応した両側には凸板１４がそれぞれ形成される。
【００４０】
第３実施形態のペンダントの収納チャンバ内には、固体香水、香水袋、香水箱、放出制御型固体薬物、放出制御型薬物が詰められた薬袋又は放出制御型薬物が詰められた薬箱が設置されてもよいし、挿通線部２１を介して収納チャンバ内に、固体香水、香水袋、香水箱、放出制御型固体薬物、放出制御型薬物が詰められた薬袋又は放出制御型薬物が詰められた薬箱を吊下げてもよい。
【００４１】
（第４実施形態）
図５を参照する。図５に示すように、本考案の第４実施形態に係る写真又はアクセサリーを収納するペンダントは、一方が面カバーであり、他方が底蓋である互いに嵌合可能な２つの蓋体１を含む。蓋体１の壁体１２の内縁には、内方へ向かって延びた挿通線部２１が延設される。第４実施形態の主な構造は、第１実施形態と略同じであるため、ここでは繰り返して述べないが、第４実施形態の挿通線部２１の一側には、挿通線溝２４が形成され、挿通線溝２４の下方の挿通線部２１にフック２５が形成され、挿通線溝２４の外部が挿通線部２１の外側に挿設されて入線口が形成され、入線口から針金又は紐が滑入又は挿通され、挿通線溝２４の内端部に凹部２７が成形され、針金又は紐が凹部２７中に位置決めされ、針金又は紐が滑り出ることを防ぎ、写真又はアクセサリーを収納チャンバ内で正面に向けて吊下げることができる点で異なる。
【００４２】
フック２５の外端部と壁体１２とが間隙を有するように組み合わされるか、フック２５の外端部と壁体１２とが弾性当接されるように組み合わされ、アクセサリー、薬袋又は薬箱の線が入線口から出ることを防ぐ。
【００４３】
（第５実施形態）
図６を参照する。図６に示すように、本考案の第５実施形態に係る写真又はアクセサリーを収納するペンダントは、一方が面カバーであり、他方が底蓋である互いに嵌合可能な２つの蓋体１を含む。蓋体１の壁体１２の内縁には、内方へ向かって延びた挿通線部２１が延設される。第５実施形態の主な構造は、第１実施形態と略同じであるため、ここでは繰り返して述べないが、第５実施形態の挿通線部２１は、接続部を含み、接続部の上端が壁体１２に接続され、接続部の下端には、両側へ向かってそれぞれ延びたフック体２６が延設され、フック体２６の内端部と壁体１２との間には、掛線空間が設けられ、フック体２６の外端と壁体１２とが間隙を有するように組み合わされるか、弾性当接されるように組み合わされて挿通線部２１が逆Ｔ字状を呈し、２つのフック体２６は、写真又はアクセサリーを吊下げ、収納チャンバ中で写真又はアクセサリーを正面に向かって吊下げることができる点で異なる。
【００４４】
好ましくは、蓋体１の壁体１２の内縁には、チャンバ１１に向かって突出された２つの凸板１４が一体成形されている。凸板１４は、薄板である。凸板１４の外端部は弧形状に形成されている。凸板１４と、隣り合う透明シート１３との間には間隙空間が形成される。凸板１４と挿通線部２１とは同一平面に位置する。凸板１４と挿通線部２１とは位置決め構造を構成する。写真又はレンズは、凸板１４及び挿通線部２１を介して透明シート１３の背面に嵌着され、ユーザ自らが写真を入れたり交換したり、小さな鏡を嵌入させたりすることができる。
【００４５】
（第６実施形態）
図７及び図８を参照する。図７及び図８に示すように、本考案の第６実施形態に係る写真又はアクセサリーを収納するペンダントは、一方が面カバーであり、他方が底蓋である互いに嵌合可能な２つの蓋体１を含む。カバー面の一側は、底蓋に枢着される。第６実施形態の主な構造は、第１実施形態と略同じであるため、ここでは繰り返して述べないが、面カバー及び底蓋の中央部の外側に透明シート１３が固定され、面カバー及び底蓋の正面周辺縁部に装飾物が嵌着され、面カバー及び底蓋の側面に装飾物が嵌着されているため、見た目が良くなる点で異なる。
【００４６】
面カバー及び底蓋の内側面には、チャンバ１１がそれぞれ形成される。チャンバ１１の周囲の縁部には、壁体１２が設置される。面カバーの壁体１２には、フック凹溝１０が形成される。フック凹溝１０中には、吊り線フック２８が固定される。チャンバ１１内には、予め製作されたペンダント掛部材３が設置され、ユーザは、自分が好きなペンダント掛部材３又はアクセサリーをチャンバ１１内に設置したり交換したりし、ペンダント掛部材３の頂部には吊り孔３２が形成され、引線３１が吊り孔３２に挿通され、引線３１を介してペンダント掛部材３をチャンバ１１内に吊下げる。
【００４７】
吊り線フック２８は、一側が開いたフック体でもよいし、全部が閉じた環状体でもよい。フック凹溝１０は、吊り線フック２８を隠したり取り付けたりする空間を形成し、壁体１２を介して吊り線フック２８を隠して見た目を良くしてもよい。フック凹溝１０により引線３１の巻取り、挿通、吊着を非常に容易に行うことができる。
【００４８】
ペンダントの面カバー、底蓋及びペンダント掛部材３を単独で生産し、軸体を介して面カバーの一側を底蓋に枢着して生産コストを下げることができる上、ペンダント掛部材３を上向き状態に保持し、ペンダント掛部材３を初期の設置方向に保持するため、ペンダントの揺れに伴い、ペンダント掛部材３の方向が変化することを防ぎ、ユーザはペンダント掛部材３を自ら交換することもできる。
【００４９】
（第７実施形態）
図９を参照する。図９に示すように、本考案の第７実施形態に係る写真又はアクセサリーを収納するペンダントは、一方が面カバーであり、他方が底蓋である互いに嵌合可能な２つの蓋体１を含む。第７実施形態の主な構造は、第１実施形態と略同じであるため、ここでは繰り返して述べないが、面カバーが底蓋に螺着され、面カバーがねじを介して底蓋に固定されるため、密封性が高くて防水性に優れる上、チャンバ１１内の写真及びアクセサリーの交換も非常に容易である点で異なる。
【００５０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００５１】
１  蓋体
２  吊下げ部
３  ペンダント掛部材
１０  フック凹溝
１１  チャンバ
１２  壁体
１３  透明シート
１４  凸板
１５  ステップ
１６  第１の取付け溝
１７  第２の取付け溝
１８  磁石
１９  鉄塊
２１  挿通線部
２２  挿通線孔
２３  線溝
２４  挿通線溝
２５  フック
２６  フック体
２７  凹部
２８  吊り線フック
３１  引線
３２  吊り孔
１０１  凹穴
１０２  凸点
１０３  弧形指掛け部
１０４  吊りリング
１０５  吊り孔
【図１】
0003218150.tif 000003
【図２】
0003218150.tif 000004
【図３】
0003218150.tif 000005
【図４】
0003218150.tif 000006
【図５】
0003218150.tif 000007
【図６】
0003218150.tif 000008
【図７】
0003218150.tif 000009
【図８】
0003218150.tif 000010
【図９】
0003218150.tif 000011